(57)【特許請求の範囲】
【請求項１】
それぞれ磁気ディスクに対して情報の記録、読み出しを行う磁気ヘッドを支持した２つのサスペンションと、それぞれ上記サスペンションを支持した金属からなる２本のアームと、上記アームを回動自在に支持した回動支持部と、上記アームを回動させるための駆動力を発生する駆動部と、を備え、
上記駆動部は、駆動コイルと、樹脂により上記駆動コイルの外周側に一体的に成形され上記駆動コイルを保持した保持枠および上記回動支持部に支持されたスペーサ部を有する保持部材と、を具備し、
上記回転支持部は、回転自在な円筒状のハブと上記ハブの一端部に形成されたフランジとを備え、
上記各アームは上記ハブが挿通された挿通孔と、上記挿通孔の回りに所定の間隔を置いて形成された複数の透孔と、を有し、
上記スペーサ部は、上記ハブが挿通された挿通孔と、互いに対向しているとともにそれぞれ上記アームに当接した平坦な２つの接合面と、上記回動支持部の回りに配置されているとともに上記各接合面から突出し上記アームの上記透孔にそれぞれ挿通された状態で上記アームに熱圧着された複数の突起と、を備え、
各突起は、上記アームから突出した先端部を有し、この先端部は、加熱および加圧されて上記透孔を閉塞しているとともに上記透孔の径よりも大径に押し潰され、
上記熱圧着されたスペーサ部およびアームは、上記フランジにねじ止めされ、
上記フランジは、一方のアームに当接しているとともに、それぞれ前記押し潰された突起の先端部を収容した複数の凹所を有しているヘッドアクチュエータ。
【請求項２】
磁気ディスクと、
上記磁気ディスクを支持および回転駆動する駆動手段と、
請求項１に記載のヘッドアクチュエータと、を備えた磁気ディスク装置。
【発明の詳細な説明】
【０００１】
【発明の属する技術分野】
本発明は、磁気ディスクに対して情報の記録、読み出しを行う磁気ヘッドを移動して、目標位置に位置決めするためのヘッドアクチュエータ、およびこれを備えた磁気ディスク装置に関する。
【０００２】
【従来の技術】
磁気ディスク装置として、例えば、小型のハードディスクドライブ（以下、ＨＤＤと略称する）は、従来からラップトップ型やノートブック型パーソナルコンピュータの内蔵型記憶装置として使用されている。
【０００３】
一般に、ＨＤＤは、アルミ合金等からなるケースの内部に、磁気ディスク、磁気ディスクを支持および回転駆動するスピンドルモータ、磁気ヘッドを磁気ディスクに対して移動自在に支持した回転揺動型のヘッドアクチュエータ、ヘッドアクチュエータを駆動するボイスコイルモータ（以下、ＶＣＭと略称する）、および回路基板等を内蔵している。そして、磁気ディスクは、スピンドルモータにより高速回転運動をする。また、回路基板は、磁気ヘッドからのリード信号を増幅する磁気ヘッドアンプ等の各種回路部品を実装している。
【０００４】
ヘッドアクチュエータは、磁気ヘッドを支持しているサスペンションと、サスペンションを支持したアームと、支持アームを回動自在に支持している回動支持部と、を備えている。また、ＶＣＭは、回転支持部に設けられたスペーサと一体的に回動可能な駆動コイルと、ケース側に設けられた永久磁石および対向ヨークと、を備えている。そして、ＶＣＭは、永久磁石と対向ヨークとの間に生じる磁界と、駆動用コイルに通電することにより発生する電磁力との相互作用により、アクチュエータを回動させる。
【０００５】
近年、上述したヘッドアクチュエータにおいて、駆動コイルの周囲を合成樹脂でモールドすることにより、駆動コイルと一体のスペーサを構成したものが提供されている。このようなスペーサを固定する場合、ねじにより回転支持部に締結するか、あるいは、アームと共に、ナット等によって上下から挟持固定する方法が取られている。
【０００６】
【発明が解決しようとする課題】
上記のようなスペーサは、ステンレス、アルミニウム等の金属で形成されているが、生産性、組立精度を上げるために合成樹脂によって駆動コイルと同時に成形することも考えられる。しかしながら、この場合、合成樹脂からなるスペーサをネジ、ナット等によって締結あるいは挟持固定すると、合成樹脂のクリープによりスペーサが塑性変形し締結力が低下する恐れがある。締結力が低下した場合、アクチュエータ全体の動剛性が低下してアクチュエータの動作制御が不安定となり、その結果、磁気ヘッドの位置決め精度が低下する。
【０００７】
本発明は、以上の点に鑑みなされたもので、その目的は、合成樹脂により成形され駆動コイルを一体的に備えた保持部材を確実に固定し、高い精度で磁気ヘッドの位置決めが可能なヘッドアクチュエータ、およびこれを備えた磁気ディスク装置を提供することにある。
【０００８】
【課題を解決するための手段】
上記目的を達成するため、この発明に係るヘッドアクチュエータは、それぞれ磁気ディスクに対して情報の記録、読み出しを行う磁気ヘッドを支持した２つのサスペンションと、それぞれ上記サスペンションを支持した金属からなる２本のアームと、上記アームを回動自在に支持した回動支持部と、上記アームを回動させるための駆動力を発生する駆動部と、を備え、
上記駆動部は、駆動コイルと、樹脂により上記駆動コイルの外周側に一体的に成形され上記駆動コイルを保持した保持枠および上記回動支持部に支持されたスペーサ部を有する保持部材と、を具備し、上記回転支持部は、回転自在な円筒状のハブと上記ハブの一端部に形成されたフランジとを備え、  
上記各アームは上記ハブが挿通された挿通孔と、上記挿通孔の回りに所定の間隔を置いて形成された複数の透孔と、を有し、  
上記スペーサ部は、上記ハブが挿通された挿通孔と、互いに対向しているとともにそれぞれ上記アームに当接した平坦な２つの接合面と、上記回動支持部の回りに配置されているとともに上記各接合面から突出し上記アームの上記透孔にそれぞれ挿通された状態で上記アームに熱圧着された複数の突起と、を備え、  
各突起は、上記アームから突出した先端部を有し、この先端部は、加熱および加圧されて上記透孔を閉塞しているとともに上記透孔の径よりも大径に押し潰され、上記熱圧着されたスペーサ部およびアームは、上記フランジにねじ止めされ、上記フランジは、一方のアームに当接しているとともに、それぞれ前記押し潰された突起の先端部を収容した複数の凹所を有している。
【００１０】
この発明に係る磁気ディスク装置は、磁気ディスクと、上記磁気ディスクを支持および回転駆動する駆動手段と、請求項１に記載のヘッドアクチュエータと、を備えていることを特徴としている。
【００１２】
上記のように構成されたヘッドアクチュエータおよび磁気ディスク装置によれば、駆動コイルは、樹脂からなる保持部材によって一体的に保持され、かつ、保持部材を介して回動支持部に支持されている。そのため、駆動部の機械的強度を向上し、同時に、部品点数の低減により組立性の向上を図ることができるとともに、駆動部の薄型、軽量化を図ることが可能となる。
【００１３】
また、樹脂で形成された保持部材と金属からなるアームとは、熱圧着によって互いに固定されていることから、樹脂のクリープ等による締結力の低下が生じ難く、保持部材とアームとの固定状態を長期に渡って確実に維持することができる。これにより、ヘッドアクチュエータを安定して制御し磁気ヘッドを高い精度で位置決めすることができ、信頼性の向上を図ることができる。
【００１４】
【発明の実施の形態】
以下、図面を参照しながら、この発明の実施の形態に係るヘッドアクチュエータを備えたＨＤＤについて詳細に説明する。
図１に示すように、ＨＤＤは、例えばアルミ合金等によって形成され上面の開口した矩形箱状のケース１２と、複数のねじ１１によりケースにねじ止めされてケースの上端開口を閉塞するトップカバー１４と、を有している。
【００１５】
ケース１２内には、磁気記録媒体としての磁気ディスク１６、この磁気ディスクを支持および回転駆動するスピンドルモータ１８、磁気ディスクに対して情報の書き込み、読み出しを行なう複数の磁気ヘッド４０、これらの磁気ヘッドを磁気ディスク１６に対して移動自在に支持した回転型のヘッドアクチュエータ２２、ヘッドアクチュエータの駆動源として機能するボイスコイルモータ（以下、ＶＣＭと略称する）２４、およびヘッドＩＣ等を実装した基板ユニット２１が収納されている。
【００１６】
また、ケース１２の底壁外面には、基板ユニット２１を介してスピンドルモータ１８、ＶＣＭ２４、および磁気ヘッドの動作を制御する図示しないプリント回路基板がねじ止めされている。
【００１７】
磁気ディスク１６は、直径６５ｍｍ（２．５インチ）に形成され、上面および下面に磁気記録層を有している。磁気ディスク１６は、スピンドルモータ１８の図示しないハブに同軸的に嵌合されているとともにクランプばね１７により保持されている。そして、磁気ディスク１６は、スピンドルモータ１８によって所定の速度で回転駆動される。
【００１８】
図１ないし図３、および図５（ａ）に示すように、ヘッドアクチュエータ２２は、ケース１２の底壁上に固定された軸受組立体２６を備えている。回転支持部として機能する軸受組立体２６は、ケース１２の底壁に対して垂直に立設された枢軸２７と、枢軸に一対の軸受を介して回転自在に支持された円筒形状のハブ２８と、を有している。ハブ２８の下端にはハブよりも大径のフランジ３０が形成され、このフランジには、後述する熱圧着部を逃がすための複数の凹所３０ｂおよびねじ孔３０ａが形成されている。
【００１９】
また、ヘッドアクチュエータ２２は、ハブ２８に取り付けられた２本のアーム３２ａ、３２ｂおよびスペーサ３４と、各アームに支持された２つの磁気ヘッド組立体３６と、を備えている。
【００２０】
アーム３２ａおよび３２ｂは、例えば、ＳＵＳ３０４等のステンレス系の材料により、板厚２５０μｍ程度の平板状に形成され所定の剛性を有しているとともに、その一端、つまり、基端には円形の挿通孔３３が形成されている。また、スペーサ３４は合成樹脂により形成されているとともに、円形の挿通孔３３を有している。
【００２１】
各磁気ヘッド組立体３６は、弾性変形可能な細長い板状のサスペンション３８と、サスペンションの先端に固定された磁気ヘッド４０と、を備えている。サスペンション３８は、板ばねにより構成され、その基端がスポット溶接あるいは接着等によりアーム３２ａ、３２ｂの先端に固定され、アームから延出している。
【００２２】
各磁気ヘッド４０は、ほぼ矩形状のスライダとこのスライダに形成された記録再生用のＭＲ（磁気抵抗）ヘッドとを有し、サスペンション３８の先端部に設けられた図示しないジンバル部に固定されている。
【００２３】
磁気ヘッド組立体３６が取り付けられたアーム３２ａおよび３２ｂは、挿通孔３３にハブ２８を挿通することにより、フランジ３０上に積層された状態でハブの外周に嵌合されている。また、スペーサ３４は、挿通孔３３にハブ２８が挿通され、かつ、アーム３２ａ、３２ｂ間に挟まれた状態で、ハブ２８の外周に嵌合されている。後述するように、これら２本のアーム３２ａ、３２ｂとスペーサ３４とは、熱圧着により互いに固定されているとともに、ハブ２８のフランジ３０にねじ止め固定されている。それにより、２本のアーム３２ａ、３２ｂは、所定の間隔を置いて互いに平行に位置しているとともに、ハブ２８から同一の方向へ延出している。
【００２４】
アーム３２ａ、３２ｂに取り付けられた磁気ヘッド組立体３６の磁気ヘッド４０は互いに向かい合って位置し、アームおよびハブ２８と一体的に回動可能となっている。また、スペーサ３４は、後述するアクチュエータ駆動部のボイスコイル４４を保持した保持枠７４を一体的に備え、この保持枠は、アーム３２ａ、３２ｂから離間する方向へ延出している。
【００２５】
図２ないし図５に示すように、アクチュエータ駆動部７０は、ＶＣＭ２４の一部を構成するボイスコイル４４を備え、その外周は、保持枠７４によって被覆されている。保持枠７４およびスペーサ３４は、合成樹脂、例えば、液晶ポリマ等の熱可塑性樹脂によって一体に成形され、同時に、ボイスコイル４４を囲んで一体化されている。これらの保持枠７４およびスペーサ３４は、この発明における保持部材を構成している。
【００２６】
また、保持枠７４において、スペーサ３４から離間した一端側面には、側方に突出したストッパ８３が一体に形成されている。ストッパ８３には、衝撃力を低減するための透孔が形成さればね性を有しているとともに、強磁性材料からなるマグネットロック用のロックピン８４が立設されている。
【００２７】
図２ないし図５に示すように、保持枠７４およびボイスコイル４４と一体のスペーサ３４は、その上面および下面にアーム３２ａ、３２ｂを接合するための平坦な接合面８８ａ、８８ｂを有している。接合面８８ａには、アーム３２ａをスペーサ３４へ熱圧着するための複数、例えば４つの突起９０が突設されている。突起９０の内、３つは、挿通孔３３の周囲に所定の間隔を置いて設けられ、残りの１つは、スペーサ３４の先端部に設けられている。各突起９０は例えば円柱形状に形成されている。また、接合面８８ａには、固定ねじ９２を挿通するための透孔９１が貫通形成され、挿通孔３３と平行に延びている。
【００２８】
なお、他方の接合面８８ｂにも、４つの突起９０が接合面８８ａ側と対称に設けられているとともに、透孔９１が開口している。
一方、各アーム３２ａ、３２ｂには、スペーサ３４の突起９０と対応する位置に４つの透孔９４が形成されているとともに、固定ねじ９２を挿通するための透孔９３が形成されている。そして、アーム３２ａ、３２ｂは、熱圧着によって、スペーサ３４の接合面８８ａ、８８ｂにそれぞれ固定されている。
【００２９】
詳細に述べると、スペーサ３４およびアーム３２ａ、３２ｂを熱圧着する場合、図５（ｂ）に示すように、まず、スペーサ３４の突起９０が対応する透孔９４に挿通された状態でアーム３２ａをスペーサ３４の接合面８８ａ上に装着する。この際、複数の突起９０が複数の透孔９４とそれぞれ係合するため、特別な位置決め治具等を用いることなく、アーム３２ａをスペーサ３４に対して所定位置に装着することができる。
【００３０】
続いて、図５（ｃ）に示すように、透孔９４から突出している各突起９０の先端部をアーム３２ａ側へ加圧および加熱することにより、液晶ポリマからなる突起９０の先端部を溶かして透孔９４を塞ぐとともに、透孔９４よりも大径に押し潰す。これにより、アーム３２ａの基端部がスペーサ３４の接合面８８ａに固定される。このような熱圧着の際、液晶ポリマからなるスペーサ３４へのストレスは、突起９０周辺に限定されるため、スペーサ全体が変形することはない。
【００３１】
アーム３２ｂについても、上記と同様の熱圧着工程により、スペーサ３４の接合面８８ｂに固定される。
熱圧着によって互いに固定されたアーム３２ａ、３２ｂおよびスペーサ３４は、図２および図５（ａ）に示すように、軸受組立体２６のハブ２８が挿通孔３３に挿通された状態でフランジ３０上に載置され、固定ねじ９２をアーム３２ａ側から透孔９２、スペーサ３４の透孔９１、アーム３２ｂの透孔９３を通してフランジ３０のねじ孔３０ａへねじ込むことにより、軸受組立体のハブ２８に取付け固定されている。
【００３２】
なお、アーム３２ｂ側の熱圧着点、つまり、各突起９０の先端部は、軸受組立体２６のフランジ３０に形成された凹所３０ｂ内に位置しているため、一対のアームおよびスペーサ３４からなる積層体は、ガタ付くことなく軸受組立体に固定されている。
【００３３】
図１からよくわかるように、上記構成のヘッドアクチュエータ２２をケース１２に組み込んだ状態において、磁気ディスク１６はアーム３２ａ、３２ｂ間に位置している。そして、アーム３２ａ、３２ｂから延びるサスペンション３８に取り付けられた磁気ヘッド４０は、磁気ディスク１６の上面および下面にそれぞれ接触し、磁気ディスク１６を両面側から挟持している。各磁気ヘッド４０は、サスペンション３８のばね力により所定のヘッド荷重が印加され、磁気ディスク表面側に付勢されている。
【００３４】
また、アクチュエータ駆動部７０のボイスコイル４４は、ケース１２上に固定された一対のヨーク４８間に位置し、これらのヨークおよび一方のヨークに固定された図示しない磁石とともにＶＣＭ２４を構成している。そして、ボイスコイル４４に通電することにより、ヘッドアクチュエータ２２が回動し、磁気ヘッド４０は磁気ディスク１６の所望のトラック上に移動および位置決めされる。
【００３５】
図１に示すように、基板ユニット２１は、ケース１２の底壁上に固定された矩形状の基板本体５１を有し、この基板本体上には、磁気ヘッド４０からのリード信号を増幅する磁気ヘッドアンプ等の各種回路部品、コネクタ等が実装されている。また、基板ユニット２１は、基板本体５１から延出した帯状のメインフレキシブルプリント回路基板（以下メインＦＰＣと称する）５４を一体に有している。
【００３６】
メインＦＰＣ５４は、磁気ヘッド４０と磁気ヘッドアンプとを接続するための信号線や、ヘッドアクチュエータ２２のボイスコイル４４を駆動するためのケーブル等の配線パターンから構成されている。また、メインＦＰＣ５４の延出端部５４ａは、ヘッドアクチュエータ２２のスペーサ３４にねじ止め固定されているとともに、この延出端部には、図示しない多数の接続パッドが設けられている。
【００３７】
一方、各磁気ヘッド４０は、それぞれ中継フレキシブルプリント回路基板（以下中継ＦＰＣと称する）６０を介してメインＦＰＣ５４の対応する接続パッドに電気的に接続されている。図３に示すように、中継ＦＰＣ６０は、各アーム３２ａ、３２ｂおよびサスペンション３８の表面に貼り付け固定され、サスペンションの先端からアームの基端に亘って延びている。これにより、各磁気ヘッド４０は、中継ＦＰＣ６０およびメインＦＰＣ５４を介して基板ユニット２１に電気的に接続されている。
【００３８】
上記構成のＨＤＤによれば、作動時、スピンドルモータ１８によって磁気ディスク１６が高速で回転駆動されるとともに、図示しないサーボシステムからＶＣＭ２４のボイスコイル４４に駆動電流が供給される。すると、ボイスコイル４４から発生する磁界とヨーク４８に設けられた永久磁石からの磁界との相互作用により、ボイスコイルに電磁力が発生し、ヘッドアクチュエータ２２が軸受組立体２６を中心として回転する。各磁気ヘッド４０は、磁気ディスク１６上を浮上した状態で、磁気ディスク半径方向に移動し、目標位置に位置決めされる。
【００３９】
以上説明したように、本実施の形態に係るＨＤＤによれば、ボイスコイル４４は、合成樹脂からなる保持枠７４によって一体的に連結および保持され、かつ、この保持枠７４はスペーサ３４と合成樹脂により一体に成形されている。そのため、部品点数を低減し組立性の向上を図ることができるとともに、駆動部の機械的強度を向上させることができ、同時に、アクチュエータ駆動部７０の薄型、軽量化を図ることが可能となる。
【００４０】
また、合成樹脂で形成されたスペーサ３４と金属からなるアーム３２ａ、３２ｂとは、熱圧着によって互いに固定されていることから、スペーサ３４のクリープ等による締結力の低下が生じにくく、スペーサとアームとの固定状態を長期に渡って確実に維持することができる。これにより、ヘッドアクチュエータ２２を安定して制御し磁気ヘッドを高い精度で位置決めすることができ、信頼性の向上を図ることができる。
【００４１】
次に、この発明の他の実施の形態に係るヘッドアクチュエータについて説明する。図６および図７に示すように、本実施の形態によれば、スペーサ３４およびアームは、スペーサ３４の接合面に形成された突起をアーム側に形成された開口に圧入することによって、互いに固定されている。
【００４２】
すなわち、合成樹脂により保持枠４４と一体に成形されたスペーサ３４は、その上面および下面にアーム３２ａ、３２ｂを接合するための平坦な接合面８８ａ、８８ｂを有している。接合面８８ａには、挿通孔３３の周縁に隣接してその回りに位置した３つの半球状の突起９５と、挿通孔３３の回りで突起９５の外側に位置した３つの突起９６と、スペーサ３４の先端部に位置した１つの突起９０と、が突設されている。突起９５および９６は、挿通孔３３の円周方向に沿って所定の間隔を置いて設けられている。また、突起９５、９６の突出高さは、アーム３２ａの板厚よりも小さく形成されている。
なお、他方の接合面８８ｂにも、上記と同様の突起９５、９６、９０が接合面８８ａ側と対称に設けられている。
【００４３】
一方、各アーム３２ａ、３２ｂには、挿通孔３３の周縁に形成されスペーサ３４の突起９５と対応して位置した３つの切欠９７と、スペーサ３４の突起と対応して位置した３つの矩形状の開口９８と、突起９０に対応する透孔１００と、が形成されている。各切欠９７および開口９８は、スペーサ３４の対応する突起９５、９６の先端部の径よりも大きくかつ基端部の径よりも小さい幅に形成されている。
【００４４】
また、図６および図８（ａ）に示すように、本実施の形態において、軸受組立体２６は、ケース１２の底壁に対して垂直に立設された枢軸２７と、枢軸に一対の軸受を介して回転自在に支持された円筒形状のハブ２８と、を有している。ハブ２８の上端には環状のフランジ４１が形成され、下端部外周にはねじ部３１が形成されている。
【００４５】
そして、２本のアーム３２ａ、３２ｂ、およびスペーサ３４は、挿通孔３３にハブ２８が挿通され、かつ、スペーサ３４が２本のアーム間に位置した状態で、ねじ部３１に螺合されたナット４２とフランジ４１との間に挟持され、ハブの外周面上に固定保持されている。それにより、２本のアーム３２ａ、３２ｂは、所定の間隔を置いて互いに平行に位置しているとともにハブ２８から同一の方向へ延出している。なお、ハブ２８、フランジ４１、ナット４２は、この発明における締結手段として機能する。
【００４６】
ここで、合成樹脂からなるスペーサ３４と金属からなるアーム３２ａ、３２ｂとは、圧着および熱圧着によって互いに固定されている。すなわち、ヘッドアクチュエータ２２の組立時には、上述したように、アーム３２ａ、３２ｂ、スペーサ３４の挿通孔３３に軸受組立体２６のハブ２８を挿通した後、ナット４２を締め込んで、ナットとフランジ４１との間にアームおよびスペーサを挟持する。
【００４７】
その際、図８（ａ）および８（ｂ）に示すように、スペーサ３４側の突起９５、９６をそれぞれアーム３２ａ、３２ｂの対応する切欠９７および開口９８に対向させるとともに、突起９０をアーム側の透孔１００に挿入する。この状態でナット４２を締め込むことにより、アーム３２ａ、３２ｂがそれぞれスペーサ３４の接合面８８ａ、８８ｂに向って押し付けられ、各突起９５、９６の先端部が対応する切欠９７、開口９８内に進入する。更に、切欠９７の端縁および開口９８の端縁がそれぞれ突起９５、９６の基端部に当接し、この干渉部分を押し潰す。これにより、スペーサ３４の突起９５、９６がアーム３２ａ、３２ｂの切欠９７および開口９８に圧入され、スペーサとアームとが互いに圧着固定される。
【００４８】
また、スペーサ３４の突起９０は、アーム３２ａ、３２ｂの透孔１００に挿入され、前述した実施の形態と同様の工程によって加熱および加圧され、スペーサ３４と各アームとを熱圧着している。なお、本実施の形態においては、突起９０による熱圧着部に代えてねじ接合を用いてもよい。
なお、他の構成は前述した実施の形態と同一であり、同一の部分には同一の参照符号を付してその詳細な説明を省略する。
【００４９】
以上のように構成された他の実施の形態によれば、ボイスコイル４４は、合成樹脂からなる保持枠７４によって一体的に連結および保持され、かつ、この保持枠７４はスペーサ３４と合成樹脂により一体に成形されている。そのため、部品点数を低減し組立性の向上を図ることができるとともに、駆動部の機械的強度を向上させることができ、同時に、アクチュエータ駆動部７０の薄型、軽量化を図ることが可能となる。
【００５０】
また、合成樹脂で形成されたスペーサ３４と金属からなるアーム３２ａ、３２ｂとは、圧着によって互いに固定されていることから、スペーサ３４のクリープ等による締結力の低下が生じ難く、スペーサとアームとの固定状態を長期に渡って確実に維持することができる。これにより、ヘッドアクチュエータ２２を安定して制御し磁気ヘッドを高い精度で位置決めすることができ、信頼性の向上を図ることができる。
【００５１】
なお、発明は上述した実施の形態に限定されることなく、この発明の範囲内で種々変形可能である。例えば、上記他の実施の形態において、スペーサ３４に突起９５、９６を設けない場合でも、アーム側に切欠や開口を形成することにより、ナット４１による締め付け時、スペーサの一部が切欠および開口に食い込み、スペーサとアームとの間の圧着効果を得ることができる。
また、アーム、スペーサ等の材質、スペーサの形状、突起の形状および数、透孔、開口の形状等は、必要に応じて変更可能である。
【００５２】
【発明の効果】
以上詳述したように、この発明によれば、駆動コイルを保持した保持枠と合成樹脂により一体的に成形されたスペーサを用いることにより、組立性の向上、薄型、軽量化したヘッドアクチュエータを得ることができるとともに、スペーサを熱圧着あるいは圧着によってアームと固定することにより、スペーサとアームと結合強度を長期に亘って保持し、高い精度で磁気ヘッドの位置決めが可能なヘッドアクチュエータ、およびこれを備えた磁気ディスク装置を提供することができる。
【図面の簡単な説明】
【図１】本発明の実施の形態に係るＨＤＤを示す分解斜視図。
【図２】上記ＨＤＤに設けられたヘッドアクチュエータの斜視図。
【図３】上記ヘッドアクチュエータの分解斜視図。
【図４】上記ヘッドアクチュエータのアクチュエータ駆動部およびスペーサを示す平面図および側面図。
【図５】上記ヘッドアクチュエータの側面図、および熱圧着部を拡大して示す断面図。
【図６】この発明の他の実施の形態に係るヘッドアクチュエータの分解斜視図。
【図７】上記ヘッドアクチュエータのアクチュエータ駆動部およびスペーサを示す平面図および側面図。
【図８】上記ヘッドアクチュエータの側面図、および熱圧着部を拡大して示す断面図。
【符号の説明】
１２…ケース
１６…磁気ディスク
２１…基板ユニット
２２…ヘッドアクチュエータ
２４…ボイスコイルモータ
２６…軸受組立体
２８…ハブ
３４…スペーサ
３８…サスペンション
４０…磁気ヘッド
４４…ボイスコイル
７０…アクチュエータ駆動部
７４…保持枠
９０…突起
９４…透孔
９５、９６…突起
９７…切欠
９８…開口
【図１】
0003887113.tif 000002
【図２】
0003887113.tif 000003
【図３】
0003887113.tif 000004
【図４】
0003887113.tif 000005
【図５】
0003887113.tif 000006
【図６】
0003887113.tif 000007
【図７】
0003887113.tif 000008
【図８】
0003887113.tif 000009